(57)【要約】  複数の検査結果と複数の検査オーダー等の対応付けを自動的に行う管理システムを提供する。  管理システム（８０）は、複数の検体容器（１３）のラベル（３５）を撮影するラベル撮影部（５２）と、ラベル画像（５５）を用いて被検者（１０）を認識するラベル認識部（６３）と、被検者（１０）の検査オーダーを取得する検査オーダー取得部（６２）と、ラベル認識部（６３）の認識結果を用いて、各々の検体容器（１３）の検体に係る検査結果と、検査オーダー取得部（６２）が取得した検査オーダーと、を自動的に対応付ける自動対応付部（６５）と、検査結果と、検査オーダーと、を対応付けて表示する表示部（６６）と、を備える。
2020162310.tif 000002
【特許請求の範囲】
【請求項１】
検体を収容し、かつ、前記検体を採取した被検者の被検者情報を記載したラベルを貼付した複数の検体容器について前記ラベルを撮影するラベル撮影部と、
前記ラベルを撮影したラベル画像を用いて、各々の前記検体容器が収容する前記検体を採取した前記被検者を認識するラベル認識部と、
前記被検者の前記被検者情報を含む検査オーダーを取得する検査オーダー取得部と、
前記ラベル認識部の認識結果を用いて、各々の前記検体容器の検体に係る検査結果と、前記検査オーダー取得部が取得した前記検査オーダーと、を自動的に対応付ける自動対応付部と、
前記自動対応付部の対応付けにしたがって、前記検査結果と、前記検査オーダーと、を対応付けて表示する表示部と、
を備える管理システム。
【請求項２】
前記ラベル認識部は、前記ラベル画像を用いて、前記ラベルの色を認識し、かつ、
前記自動対応付部は、色違いの前記ラベル画像を有する２つの前記検体容器に同じ前記検査オーダーを対応付ける請求項１に記載の管理システム。
【請求項３】
前記ラベル撮影部は、複数の前記検体容器の前記ラベルをまとめて撮影し、得られた画像から各前記検体容器の前記ラベルの部分を前記ラベル画像として抽出する請求項１または２に記載の管理システム。
【請求項４】
前記ラベルの記載は、前記被検者の被検者名、性別、及び／または、年齢を含み、
前記ラベル認識部は、前記ラベルに記載した被検者名、性別、及び／または、年齢を認識する請求項１〜３のいずれか１項に記載の管理システム。
【請求項５】
前記ラベル認識部が認識した文字または記号を他の文字または記号に変換する変換部を備え、
前記自動対応付部は、前記変換部が前記ラベル認識部の認識結果を変換した文字または記号を用いて、各々の前記検査結果と、前記検査オーダーと、を対応付ける請求項１〜３のいずれか１項に記載の管理システム。
【請求項６】
前記変換部は、前記ラベル認識部が認識した文字を、前記検査オーダーが被検者名に使用する文字種に変換する請求項５に記載の管理システム。
【請求項７】
前記ラベル認識部は、前記被検者が手書きした前記ラベルの前記ラベル画像を用いて、前記被検者を認識する請求項１〜６のいずれか１項に記載の管理システム。
【請求項８】
前記表示部は、認識処理の確度が閾値以下である認識不良の前記ラベル画像に係る前記検査結果と、前記検査オーダーと、を対応付けた表示部分を強調する請求項１〜７のいずれか１項に記載の管理システム。
【請求項９】
前記表示部は、少なくとも認識不良の前記ラベル画像を用いて認識した前記被検者について、前記ラベル画像を表示する請求項８に記載の管理システム。
【請求項１０】
認識不良の前記ラベル画像を用いて認識した前記被検者の被検者情報について、修正を受け付ける請求項８または９に記載の管理システム。
【請求項１１】
前記被検者の被検者情報を修正した場合に、前記自動対応付部は、修正後の被検者情報を用いて前記検査オーダーを自動的に対応付ける請求項１０に記載の管理システム。
【請求項１２】
少なくとも認識不良の前記ラベル画像がある場合に、前記自動対応付部は、前記検査結果に自動的に対応付けた前記検査オーダーの他に、対応付け得る前記検査オーダーの候補を提示する請求項８〜１１のいずれか１項に記載の管理システム。
【発明の詳細な説明】
【技術分野】
【０００１】
本発明は、被検者、検査結果、及び、検査の依頼である検査オーダー等、を対応付ける管理システムに関する。
【背景技術】
【０００２】
従来、健康診断その他の必要に応じて、便潜血検査または血液検査等の様々な検査が行われている。こうした検査の中には病院で実施するものもあるが、通常は、病院は検査機関に検査の実施を依頼する。すなわち、検査を実際に実施する検査機関は、検査結果を利用する病院とは別の機関である場合がある。【０００３】
例えば、便潜血検査をする場合、被検者は糞便等の検体を採取して病院または検査機関に提出する。一方、病院にいる医師等は検査機関に対して被検者を特定して、検査機関に便潜血検査を依頼する。そして、検査機関は、病院から受けた検査オーダーに基づいて、被検者または病院から提供を受けた特定の被検者の検体について検査を実施し、その結果を病院及び／または被検者に通知する。【０００４】
そして、検査機関においては、検体を収容した検体容器の検体に係る検査結果と、検査オーダーと、を対応付ける作業を行っている。具体的には、検査機関は、検査結果と被検者との対応付けをするために、バーコード等を用いて各検体容器にＩＤ（Identification）を付与して検査結果を管理することにより、被検者と検査結果を対応付ける。また、検体容器は、通常、被検者が自己の氏名、性別、及び、年齢等を記入したラベルを貼付して提出するが、検査オーダーとの対応付けはなされていないので、検査結果と検査オーダーとの対応付けは、検査機関において手動で行っている。例えば、検体容器のラベルと検査オーダーに登録された氏名等を目視で確認することにより、検体容器のＩＤについて対応付けて出力される検査結果を、対応する検査オーダーに対する検査結果として登録等する。【０００５】
近年においては、検査装置から被検者のＩＤと検査結果が対応付けて出力され、かつ、検査オーダーにその被検者が同じＩＤで登録されている場合に、検査結果と検査オーダーの対応付けを自動的に行う管理装置が知られている（特許文献１）。また、個人病院等において使用するシステムには、次に検査を実施する被検者を特定しておくことで、検査装置が出力する検査結果を、自動的に特定した被検者の検査結果として登録するシステムも知られている（特許文献２）。
【先行技術文献】
【特許文献】
【０００６】
【特許文献１】特開２０１８−０８４８６２号公報
【特許文献２】特開２０１１−２０６５５７号公報
【発明の概要】
【発明が解決しようとする課題】
【０００７】
被検者、被検者が提出する検体、検体を収容した容器、検査結果、及び、検査オーダー等を対応付ける作業は煩雑である。特に、検査機関においては、複数人の被検者についてまとまった検査オーダーがあり、複数の検体容器を実質的に同時に扱わなければならないので、検体容器へのＩＤの付与、及び、検査結果と被検者の氏名等の被検者情報の対応付けだけでも、労力を要する。その上で、得られた複数組の被検者情報及び検査結果を、検査オーダーと照らし合わせなければならないが、検査オーダーと同一のＩＤが使用できる場合、あるいは、検査の実施前に検査と被検者の情報を一対一に対応付けられる小規模な検査である等の特別な環境でないかぎり、検査結果及び被検者情報と検査オーダーの対応付けは、目視で確認しながら行っている実態がある。このため、複数人分の検体について効率良く検査を実施しつつ、かつ、上記対応付け作業を自動的に行うことによって、検査機関における対応付け作業を効率化することが望まれている。【０００８】
本発明は、複数人分の検査を実質的に同時に扱わなければならない大規模な検査機関において、複数の検査結果と複数の検査オーダー等の対応付けを自動的に行うことができる管理システムを提供することを目的とする。
【課題を解決するための手段】
【０００９】
本発明の管理システムは、検体を収容し、かつ、検体を採取した被検者の被検者情報を記載したラベルを貼付した複数の検体容器についてラベルを撮影するラベル撮影部と、ラベルを撮影したラベル画像を用いて、各々の検体容器が収容する検体を採取した被検者を認識するラベル認識部と、検体を採取する被検者の被検者情報を含む検査オーダーを取得する検査オーダー取得部と、ラベル認識部の認識結果を用いて、各々の検体容器の検体に係る検査結果と、検査オーダー取得部が取得した検査オーダーと、を自動的に対応付ける自動対応付部と、自動対応付部の対応付けにしたがって、検査結果と、検査オーダーと、を対応付けて表示する表示部と、を備える。【００１０】
ラベル認識部は、ラベル画像を用いて、ラベルの色を認識し、かつ、自動対応付部は、色違いのラベル画像を有する２つの検体容器に同じ検査オーダーを対応付けることが好ましい。【００１１】
ラベル撮影部は、複数の検体容器のラベルをまとめて撮影し、得られた画像から各検体容器のラベルの部分をラベル画像として抽出することが好ましい。【００１２】
ラベルの記載は、被検者の被検者名、性別、及び／または、年齢を含み、ラベル認識部は、ラベルに記載した被検者名、性別、及び／または、年齢を認識することが好ましい。【００１３】
ラベル認識部が認識した文字または記号を他の文字または記号に変換する変換部を備え、自動対応付部は、変換部がラベル認識部の認識結果を変換した文字または記号を用いて、各々の検査結果と、検査オーダーと、を対応付けることが好ましい。【００１４】
変換部は、ラベル認識部が認識した文字を、検査オーダーが被検者名に使用する文字種に変換することが好ましい。【００１５】
ラベル認識部は、被検者が手書きしたラベルのラベル画像を用いて、被検者を認識することが好ましい。【００１６】
表示部は、認識処理の確度が閾値以下である認識不良のラベル画像に係る検査結果と、検査オーダーと、を対応付けた表示部分を強調することが好ましい。【００１７】
表示部は、少なくとも認識不良のラベル画像を用いて認識した被検者について、ラベル画像を表示することが好ましい。【００１８】
認識不良のラベル画像を用いて認識した被検者の被検者情報について、修正を受け付けることが好ましい。【００１９】
被検者の被検者情報を修正した場合に、自動対応付部は、修正後の被検者情報を用いて検査オーダーを自動的に対応付けることが好ましい。【００２０】
少なくとも認識不良のラベル画像がある場合に、自動対応付部は、検査結果に自動的に対応付けた検査オーダーの他に、対応付け得る検査オーダーの候補を提示することが好ましい。
【発明の効果】
【００２１】
本発明の管理システムによれば、複数人分の検査を実質的に同時に扱わなければならない大規模な検査機関において、複数の検査結果と複数の検査オーダー等の対応付けを自動的に行うことができる。
【図面の簡単な説明】
【００２２】
【図１】便潜血検査等の検査の概要を示す説明図である。
【図２】便潜血検査用の検体容器である。
【図３】便潜血検査装置（検査装置）の外観斜視図である。
【図４】検体容器及び検体容器を保持するラックである。
【図５】検査装置、管理装置、及び管理システムの構成を示すブロック図である。
【図６】ラベル画像である。
【図７】ラベル画像と検査結果である測定値の値とを対応付けた検査データである
【図８】各行が検査オーダーであるオーダー一覧である。
【図９】検査に係るフローチャートである。
【図１０】対応付けに係るフローチャートである。
【図１１】検査装置が出力する検査データの例である。
【図１２】表示部に表示する対応付けデータの例である。
【図１３】表示形態が異なる対応付けデータの例である。
【図１４】複数の検体容器を撮影した画像から個々のラベル画像を抽出する例を示す説明図である。
【図１５】第２実施形態における変換部を有する管理システムのブロック図である。
【図１６】認識不良があった場合の検査データの例である。
【図１７】認識不良がった場合の対応付けデータの表示例である。
【発明を実施するための形態】
【００２３】
［第１実施形態］
図１に示すように、便潜血検査または血液検査等の各種医療関連の検査（以下において、単に「検査」という）には、通常、被検者１０が健康診断その他検査または診断等のために訪れる病院１１と、病院１１とは別組織である検査機関１２とが関わる。検査が必要な場合、被検者１０は、病院１１における担当医師の指示等に基づいて、検査に用いる検体を採取し、採取した検体を専用の容器（以下、検体容器という）１３に収容して病院１１に提出する。検体とは、被検者１０の体組織または分泌物等である。例えば、便潜血検査においては、検体は被検者１０の糞便である。また、血液検査においては、検体は、被検者の血液である。
【００２４】
一方、病院１１は、通常、検査の専門機関である検査機関１２に検査の依頼をする。例えば、病院１１は病院情報システム（ＨＩＳ（Hospital Information System））１６等を用いて、検査機関１２に検査の依頼（以下、検査オーダーという）を発行する。検査オーダーは、少なくとも、検査を実施する被検者１０、すなわち検体を採取する被検者１０の情報（以下、被検者情報という）、並びに、実施する検査の対象及び内容を表す情報を含む。また、病院１１は、検体を収容した検体容器１３を、検査機関１２に送る。
【００２５】
検査機関１２には、検査装置２１と、管理装置２２と、を備える。本発明の管理システム８０（図５参照）は、検査装置２１及び／または管理装置２２の一部または全部によって構成するシステムであり、被検者１０に係る情報（以下、被検者情報という）、検査結果、及び、検査オーダーの対応付けを行う。被検者情報とは、被検者１０の氏名もしくはＩＤ等の識別番号、性別、及び、年齢等であり、少なくとも特定の被検者１０を他の被検者１０と区別するための情報を１以上含む。
【００２６】
検査機関１２は、実施する検査の種類に応じて、１または複数種類の検査装置２１を所有する場合がある。検査機関１２が便潜血検査と血液検査に対応する場合、検査機関１２には便潜血検査装置と血液検査装置の２種類の検査装置２１を備える。また、検査装置２１は、特定の検査を実質的に同時に実施するために、特定の検査に用いる検査装置２１を複数台所有する場合がある。例えば、検査機関１２には、検査装置２１である便潜血検査装置を複数台ある場合がある。
【００２７】
管理装置２２は、上記のとおり、１または複数ある検査装置２１が出力する検査結果を、検査対象である被検者１０及び検査結果と、検査オーダーと、の対応付けを行ったうえで、被検者１０、検査結果、及び、検査オーダー等を管理する。また、管理装置２２は、必要に応じて、病院１１の病院情報システム１６等と通信し、必要なデータを送受信する場合がある。例えば、管理装置２２は、検査結果を病院情報システム１６に送信または登録等することで、検査結果を病院１１に報告をする。
【００２８】
以下、説明のため、実施する検査が具体的に便潜血検査であるとする。このため、検体は被検者１０の糞便であり、検体容器１３は、被検者１０が自ら採便し、かつ、一定期間安定に保存し得るようにキット化した容器（採便容器）である。また、検査装置２１は、便潜血検査装置である。
【００２９】
図２に示すように、検体容器１３は、検体である糞便を収容する容器本体３１と、容器本体３１に着脱自在に設けられたキャップ３２と、を備える。容器本体３１は、例えば透明または半透明であり、内部には検体である糞便を保存液（あるいは希釈液）等が入っている。キャップ３２には、容器本体３１に挿入する挿入部（図示しない）が取り付けられている。このため、被検者１０は、キャップ３２を容器本体３１から取り外し、挿入部の先端で検体である糞便の表面をなぞる等して糞便を採取し、挿入部を容器本体３１に挿入してキャップ３２を閉じることにより、検体である糞便を採取する。
【００３０】
検体容器１３は、容器本体３１の１つの表面にラベル３５を貼付して病院１１に提出する。ラベル３５は、検体を採取した被検者１０の被検者情報を記載する。本実施形態においては、ラベル３５には、氏名記入欄３６、性別選択欄３７、年齢記入欄３８、及び、採便日時記入欄３９がある。少なくとも、氏名記入欄３６に記入した被検者１０の氏名（図２においては「富士一郎」）、性別選択欄３７において選択した性別（図２においては「男」）、及び、年齢記入欄３８に記入した年齢（図２においては「３７」才）が、被検者情報として機能する。
【００３１】
また、便潜血検査で使用する検体容器１３のラベル３５には、色違いの２種類のラベル３５ある。便潜血検査は２日分の糞便を検査するのが通常であるため、これら２日分の検体容器１３の区別のために、こうした色違いのラベル３５を使用する。具体的には、氏名記入欄３６を示す文字（「氏名」）、性別選択欄３７を示す文字（「男」及び「女」）、年齢記入欄３８を示す文字（「才」）、採便日時記入欄３９を示す文字（「年」「月」「日」及び「時」）、及び／またはその他罫線等を第１色でプリントした第１色ラベルと、これらを第１色とは異なる第２色でプリントした第２色ラベルと、の２種類のラベル３５がある。例えば、第１色は赤色系統色（赤色またはオレンジ色等）であり、第２色は青色系統色（青色または緑色等）である。
【００３２】
図３に示すように、検査装置２１は便潜血検査装置であり、検体容器載置部４１と、検査を実施する実体的な機構である検査部４２と、検査装置２１の操作部かつ表示部として機能するタッチパネル４３と、を備える。
【００３３】
検体容器載置部４１は、検査を実施する場合に、１または複数の検体容器１３を載置する部分である。本実施形態においては、図４に示すように、複数の検体容器１３を、各々のラベル３５を露呈した状態（少なくとも被検者情報に係る部分がラック４６に隠されていない状態）で保持するラック４６に、ラベル３５を貼付した面を揃えてセットする。そして、複数の検体容器１３をラック４６ごと検体容器載置部４１に載置する。ラック４６にセットする検体容器１３は、基本的に各々異なる被検者１０が提出した検体容器１３である。但し、本実施形態における検査は便潜血検査なので、色違いのラベル３５を貼付した同一の被検者１０が提出する２個の検体容器１３を、１つのラック４６にセットする場合があるが、これは許容される。図４においては、ラック４６の最も左側にセットした検体容器１３と、左から２番目にセットした検体容器１３は、それぞれ被検者１０の一人である「富士一郎」が提出した２日分の検体容器１３である。その他の検体容器１３は、少なくとも「富士一郎」以外の被検者１０が提出したものである。なお、ラック４６には、バーコードまたはＩＣチップ等（図示しない）を用いてＩＤを付与しており、検査装置２１はラック４６を個別に認識する。検体容器１３及び検査結果を各個に認識して、相互に混同することなく管理するためである。
【００３４】
図５に示すように、検査部４２は、ＩＤ読取部５１、ラベル撮影部５２、及び、便潜血検査機構５３を備える。ＩＤ読取部５１は、例えば、ラック４６または検体容器１３を識別する情報（ＩＤ等）を読み取るスキャナである。本実施形態においては、ＩＤ読取部５１は、ラック４６に貼付したバーコードをスキャンして、ラック４６のＩＤを取得するバーコードリーダである。
【００３５】
ラベル撮影部５２は、被検者情報を記載したラベル３５を貼付した検体容器１３について、ラベル３５を撮影する。具体的には、ラベル撮影部５２は、ラック４６にセットされた複数の検体容器１３のラベル３５をそれぞれ個別に撮影することができる。また、ラベル撮影部５２は、ラック４６にセットされた複数の検体容器１３の一部または全部のラベル３５をまとめて撮影することができる。ラベル撮影部５２は、少なくとも検査装置２１が出力する検査結果を管理装置２２が使用するまでに（検査結果を検査オーダーとの対応付けに使用するまでに）、検体容器１３のラベル３５を撮影する。ラベル撮影部５２は、撮影したラベル３５の画像（以下、ラベル画像という。図６参照。）５５を、管理装置２２に出力する。管理装置２２が、ラベル画像５５を、被検者１０、検査結果、及び、検査オーダーの対応付に使用するためである。ラベル画像５５は、ラベル３５に記載された被検者情報を少なくとも１つ含む。本実施形態においては、図６に示すように、ラベル画像５５は、ラベル３５の氏名記入欄３６、性別選択欄３７、及び、年齢記入欄３８を写した画像である。
【００３６】
本実施形態においては、ラック４６を用いて複数の検体容器１３を同時に検査装置２１にセットするが、各検体容器１３が収容する検体は、それぞれ便潜血検査機構５３において順次検査する。そして、ラベル撮影部５２は、各検体容器１３が収容する検体を便潜血検査機構５３に提供するタイミングで、その検体容器１３のラベル３５を撮影し、ラベル画像５５を得る。検査部４２は、特定の検体容器１３が収容する検体についての検査結果と、その特定の検体容器１３のラベル画像５５と、を一対一に対応付けて管理装置２２に出力する。
【００３７】
便潜血検査機構５３は、便潜血検査を実施するための機構であり、便潜血検査に使用する試薬のストック等を含む。便潜血検査機構５３は、検査を終えると、順次、その結果をタッチパネル４３及び管理装置２２に出力する。タッチパネル４３は、検査を終えた順に、適宜、検査結果を表示することにより、検査の進捗を示す。また、管理装置２２は、便潜血検査機構５３から検査結果を取得すると、順次に、または、１単位ごとに（例えばラック４６ごとに）、被検者１０、検査結果、及び、検査オーダー等の対応付けを行う。
【００３８】
管理装置２２は、検査結果取得部６１、検査オーダー取得部６２、ラベル認識部６３、自動対応付部６５、表示部６６、及び、操作部６７等を備えた、いわゆるコンピュータである（図５参照）。
【００３９】
検査結果取得部６１は、検査装置２１の検査部４２から検査結果及びラベル画像５５を取得する。前述の通り、本実施形態においては、検査部４２は、検査結果とラベル画像５５を一対一に対応付けて出力するので、検査結果取得部６１は、相互に対応する検査結果及びラベル画像５５を同時に取得する。すなわち、検査結果取得部６１は、図７に示すように、少なくとも、ラベル画像５５と、検査結果である「測定値」の値と、を対応付けた検査データ７１を取得する。図７においては、検査データ７１は、ラベル画像５５と検査結果のほかに、シリアルナンバー（Ｓ／Ｎ）のデータを含む。シリアルナンバーは、検査を実施した順序（あるいは検査結果等の取得順序）を表す数値であり、例えば、検査結果取得部６１が、相互に対応するラベル画像５５及び検査結果（測定値）を取得したときに、そのラベル画像５５及び検査結果の組に対して、取得順であるシリアルナンバーを付す。
【００４０】
検査オーダー取得部６２は、例えば病院情報システム１６から検査オーダーを取得する。本実施形態においては、検査オーダー取得部６２が取得する検査オーダーは、被検者情報として、被検者１０のＩＤ（病院１１での管理に使用するＩＤ）、被検者１０の氏名、性別、及び、年齢を含むものとする。このため、本実施形態においては、図８に示すように、検査オーダー取得部６２は、被検者１０の氏名、性別、年齢、及び、ＩＤを対応付けた検査オーダーのオーダー一覧７２を取得する。オーダー一覧７２の各行が、それぞれ検査オーダーである。
【００４１】
ラベル認識部６３は、ラベル画像５５を用いて、各々の検体容器１３が収容する検体を採取した被検者１０を認識する。具体的には、ラベル認識部６３は、いわゆるＯＣＲ（Optical Character Recognition/Reader）ソフトウェアを実行するプロセッサ等である。「被検者１０を認識する」とは、被検者１０を特定し得る程度に、被検者情報を少なくとも１以上取得することをいう。例えば、ラベル認識部６３は、ラベル３５に記載した被検者名、性別、及び／または、年齢を認識する。また、ラベル認識部６３は、ラベル３５に記載された被検者名、性別、及び／または、年齢は、文字または記号等で記載されているので、ラベル認識部６３は、これらの文字または記号等を読み取り、管理システム８０において使用できる文字または記号等（管理システム８０において使用する文字コード等）に変換することにより、その認識をする。本実施形態においては、ラベル認識部６３は、被検者の氏名、性別、及び、年齢を認識する。各々の被検者１０を、より正確に認識するためである。なお、被検者名とは、被検者１０の「氏」及び／または「名」等（ミドルネーム等を含む）である。
【００４２】
また、ラベル認識部６３は、ラベル画像５５を用いて、ラベル３５の色を認識できる。ラベル３５の色について認識とは、ラベル３５の記載事項を示す各文字等の色が第１色であるか、第２色であるかを特定することをいう。便潜血検査において、２日分の検体を、区別するためである。この他、ラベル認識部６３は、被検者１０が手書きしたラベル３５のラベル画像５５を用いて被検者１０を認識することができる。ラベル３５の記載事項は、被検者１０が手書きで記入する場合も多いからである。
【００４３】
自動対応付部６５は、ラベル認識部６３の認識結果を用いて、各々の検体容器１３の検体に係る検査結果と、検査オーダー取得部６２が取得した検査オーダーと、を自動的に対応付ける。検査結果と検査オーダーの「対応付け」とは、特定の検体容器１３の検体に係る検査結果を、特定の検査オーダーに係る検査結果であると特定することをいい、特定の検体容器１３を、特定の検査オーダーに係る検体容器１３であると特定すること、及び／または、ある特定の検体容器１３の検体を提供した特定の被検者１０が特定の検査オーダーに係る被検者１０であると同定すること、と実質的に同義である。これらのうち１つが対応付けられれば、他も自動的に定まるからである。また、検体容器１３はラベル画像５５と一対一対応であるから、検体容器１３と検査オーダーとの対応付けは、ラベル画像５５と検査オーダーとの対応付けと言い換えることができる。
【００４４】
本実施形態位においては、自動対応付部６５は、ラベル認識部６３の認識結果の一部または全部を、検査オーダーの対応する項目と照合する。そして、原則として、認識結果と検査オーダーが共通に含む被検者情報の内容が一致する検査オーダーを、認識処理をしたラベル画像５５及びその測定結果（「測定値」）の記録（図７の検査データ７１における特定Ｓ／Ｎの記録）に対応付ける。また、認識結果と検査オーダーが共通に含む被検者情報の内容が一致する検査オーダーがない場合、部分的に一致する検査オーダーの中で一致率が高い検査オーダーを、認識処理をしたラベル画像５５及びその測定結果の組に対応付ける。すなわち、自動対応付部６５は、ラベル画像５５の認識結果と検査オーダーとの称号の結果、被検者情報の一致率が良い（例えば最も一致率が高い）検査オーダーを、認識処理をしたラベル画像５５及びその測定結果の組に対応する検査オーダーと推定して自動的に対応付けを行う。これにより、自動対応付部６５は、ラベル画像５５が認識不良の場合でも、暫定的に、最も正確性が高いと考えられる自動的な対応付けを行うことができる。
【００４５】
また、自動対応付部６５は、ラベル認識部６３が複数の被検者情報を認識する場合、これらの被検者情報間に優先順位を設ける場合がある。例えば、ラベル認識部６３が、ラベル画像５５から被検者１０の氏名、性別、及び、年齢を認識する場合、これらの中で被検者１０の氏名を優先して、検査オーダーとの対応付けを行う。被検者１０の氏名が他の被検者１０と一致する確率は、性別及び／または年齢が他の被検者１０と一致する確率よりも低いので、氏名の一致度を優先することにより、被検者情報が完全一致しない場合でも、正確な対応付けをしやすいからである。
【００４６】
表示部６６は、自動対応付部６５の対応付けにしたがって、検査結果と、検査オーダーと、を対応付けて表示する。自動対応付部６５は正確に上記対応付けを行うことができるが、管理装置２２の使用者に最終的な確認及び承認を求めるべきだからである。操作部６７は、例えば、ポインティングデバイス等であり、上記承認操作に用いる。
【００４７】
検査装置２１及び管理装置２２のうち、検査装置２１のラベル撮影部５２と、管理装置２２の少なくとも一部（検査オーダー取得部６２、ラベル認識部６３、自動対応付部６５、及び、表示部６６）の組み合わせは、管理システム８０を構成する（図５参照）。管理システム８０は、ラベル画像５５を取得することにより、ラベル画像５５を用いて検査結果と検査オーダーを自動的に対応付けるシステムである。
【００４８】
以下、検査及び検査オーダーとの対応付けに係る作用を説明する。まず、図９に示すように、検査機関１２が、病院１１から複数人分の検査の依頼を受け、かつ、検体を収容した検体容器１３を受け取ると、検査機関１２の職員は、ラベル３５を貼付した面を揃えてラック４６に複数の検体容器１３をセットする（ステップＳ１０１）。そして、ラック４６ごと、検査装置２１の検体容器載置部４１に複数の検体容器１３を載置する。これにより、検査装置２１は、検査開始指示の入力によって、検査を開始し得る状態になる。
【００４９】
その後、タッチパネル４３を用いて検査開始指示を入力すると、ラベル撮影部５２が検体容器１３に貼付したラベル３５を撮影し、ラベル画像５５を得る（ステップＳ１０２）。一方、便潜血検査機構５３は、ラベル３５を撮影した検体容器１３から検体を取得し、便潜血検査を実施する（ステップＳ１０３）。そして、検査部４２は、ラベル撮影部５２が取得したラベル画像５５と、便潜血検査機構５３が出力する検査結果と、を一対一に対応付けて、順次、管理装置２２に出力する（ステップＳ１０４）。検査装置２１は、これらのステップを自動的に繰り返すことにより、セットした複数の検体容器１３の検体について、自動的に検査を行う。
【００５０】
管理装置２２においては、図１０に示すように、検査オーダー取得部６２が病院情報システム１６等から検査オーダーを予め取得する（ステップＳ１２１）。これにより、管理装置２２は、オーダー一覧７２を得る。一方、検査結果取得部６１が検査装置２１の検査部４２から検査結果及びラベル画像５５を取得すると（ステップＳ１２２）、ラベル認識部６３は、ラベル画像５５の認識処理をし（ステップＳ１２３）、検体容器１３が収容する検体を採取した被検者１０を認識する。その結果、本実施形態においては、ラベル認識部６３は被検者１０の氏名、性別、及び、年齢の情報得る。このため、管理装置２２が保有する検査データ７１には、図１１に示すように、ラベル認識部６３の認識結果である被検者１０の氏名、性別、及び、年齢の欄（以下、認識結果欄という）９１が追加する。
【００５１】
その後、自動対応付部６５は、検査データ７１の認識結果欄９１のデータと、オーダー一覧７２の各行のデータと、を照合することにより、各々の検査結果と検査オーダーと、を自動的に対応付ける（ステップＳ１２４）。そして、表示部６６は、自動対応付部６５の対応付けにしたがって、検査データ７１と検査オーダーとを対応付けて表示する（ステップＳ１２５）。より具体的には、図１２に示すように、表示部６６は、対応付けの結果にしたがって、検査データ７１と検査オーダーとを統合した対応付けデータ９２を表示する。対応付けデータ９２は、例えば、Ｓ／Ｎ、ラベル画像、被検者１０の氏名、性別、年齢、検査結果である測定値、及び、被検者１０のＩＤの項目を表示する。例えば、これらのうちＳ／Ｎ、ラベル画像、及び、測定値の項目は検査データ７１のデータであり、被検者１０の氏名、性別、年齢、及び、ＩＤの項目の欄（以下、オーダーデータ欄という）９３のデータは、オーダー一覧７２のデータである。
【００５２】
検査が完了し、表示部６６が対応付けデータ９２を表示すると、検査機関１２の職員は、例えば、ラベル画像５５の内容とオーダーデータ欄９３（特に、氏名、性別、及び年齢の欄）の内容の一致を確認した後、操作部６７を用いて承認操作をする（ステップＳ１２６）。例えば、表示部６６の画面において、図示しない「承認ボタン」を押す等である。これにより、管理装置２２は、検査結果である測定値を、対応する検査オーダーの検査結果として報告する。例えば、管理装置２２は、病院情報システム１６等の病院１１にあるシステムに検査結果を登録（アップロード）することができる。
【００５３】
上記のように、検査装置２１及び管理装置２２、特に管理システム８０を構成する部分（以下、管理システム８０等という）によれば、検査機関１２においては、複数の検体容器１３に収容した検体を自動的に検査しつつ、その結果も、自動的に検査オーダーに対応付けることができる。例えば、典型的な従来の検査機関１２においては、複数の検体容器１３を識別するために、各々の検体容器１３にバーコード等を付与し、かつ、そのバーコード等によって付与されたＩＤと、検体容器１３を提出した被検者１０を対応付けるデータを作成し、複数の検査オーダーとの照合をしつつ、検査結果を得る必要がある。これに対し、管理システム８０等によれば、単に、複数の検体容器１３をラック４６にセットする際に、ラベル３５を貼付した面を揃えるだけで、自動的に、迅速に、かつ、正確に上記対応付けを行うことができる。したがって、管理システム８０等によれば、検査機関１２における作業の効率及び正確性を向上することができる。
【００５４】
なお、上記第１実施形態においては、表示部６６は、検査データ７１と検査オーダーとを統合した対応付けデータ９２を表示するが、こうして統合する代わりに、図１３に示すように、表示部６６は、検査データ７１とオーダー一覧７２のデータの並び等を崩さずに、検査データ７１と検査オーダーとを対応付けた対応付けデータ１０１を表示することができる。対応付けデータ１０１においては、ラベル画像５５だけでなく、認識結果欄９１に示す認識結果を、検査オーダーと直接に比較して、自動対応付部６５による対応付けが正確であるか否かを確認できる。
【００５５】
また、上記第１実施形態においては、ラベル認識部６３は、ラベル画像５５を用いてラベル３５の色を認識できるが、ラベル３５の色に係る認識結果は、検体容器１３と検査オーダーとの対応付けに利用できる。例えば、ラベル認識部６３がラベル３５の色を認識し、かつ、ラベル認識部６３または自動対応付部６５が色違いのラベル３５の記載内容を比較によってこれらが相互に対応する色違いのラベル３５であることを確認できる場合には、自動対応付部６５は、色違いのラベル画像５５を有する２つの検体容器１３に同じ検査オーダーを優先的に対応付けるとよい。色違いのラベル３５のうち一方が汚損、記入ミスまたは記入忘れ等によって認識不良がある場合等においても、容易に正確な対応付けができるからである。色違いのラベル３５を使用する便潜血検査において特に有用である。
【００５６】
また、上記第１実施形態においては、ラベル撮影部５２は、各々の検体容器１３のラベル３５をそれぞれ撮影するが、ラベル撮影部５２は、図１４に示すように、複数の検体容器１３のラベル３５をまとめて撮影し、得られた画像１１１から各検体容器１３のラベル３５の部分をラベル画像５５として抽出することにより、ラベル画像５５を得ることができる。このように、複数の検体容器１３のラベル３５をまとめて撮影した画像１１１から個別にラベル画像５５を抽出すると、ラベル３５の撮影回数を低減できる。検体容器１３の数が特に多く、ラベル３５の撮影が検査に要する時間が長時間化する原因となる場合にラベル３５の撮影を含めた検査時間の短縮できる。
【００５７】
［第２実施形態］
上記第１実施形態においては、ラベル認識部６３は、文字または記号等を用いてラベル３５に記載されている被検者情報を、そのままの形態で認識し、かつ、自動対応付部６５は、ラベル認識部６３が認識した文字または記号等を、そのままの形態で使用して、検体容器１３と検査オーダーとの対応付けをする。しかし、同一の被検者１０の被検者情報であっても、検体容器１３のラベル３５と検査オーダーとで一部または全部において文字または記号等の形態が異なる場合がある。例えば、検査オーダーには被検者名が「漢字」で登録されており、ラベル３５には被検者が「ひらがな」または「カタカナ」で記載した場合等である。
【００５８】
上記のような状況に対応するため、図１５に示すように、管理システム８０は、例えば管理装置２２に変換部２０１を備えることができる。変換部２０１は、ラベル認識部６３が認識した文字または記号を他の文字または記号に変換する。例えば、管理システム８０を日本で使用する場合には、変換部２０１は、例えば、「漢字」、「ひらがな」、「カタカナ」、または、「ローマ字」（アルファベット）等を相互に変換することができる。また、変換部２０１が行う変換には、「全角」と「半角」の変換を含む。なお、管理システム８０を日本語以外の言語圏で使用する場合には、変換部２０１は、管理システム８０を使用する地域で用いる複数種類の文字種の間で文字または記号の変換をする構成にする。例えば、中国語圏においては、変換部２０１を「漢字」と「ピンイン」で相互変換する構成とすることができる。
【００５９】
管理システム８０が変換部２０１を備える場合、自動対応付部６５は、変換部２０１がラベル認識部６３の認識結果を変換した文字または記号を用いて、各々の検査結果と、検査オーダーと、を対応付ける。対応付けの精度が向上するからである。
【００６０】
なお、変換部２０１は、ラベル認識部６３が認識した文字または記号等を、検査オーダーが被検者情報の記録に使用する文字または記号に変換することが好ましい。ラベル３５と検査オーダーに異種の文字等が使用されている場合に、自動対応付部６５における対応付け処理の精度を向上するためである。特に、変換部２０１は、ラベル認識部６３が認識した文字を、検査オーダーが被検者名に使用する文字種に変換することが好ましい。被検者情報のなかで、被検者名が特に各被検者の識別に役立つからである。この場合、変換部２０１は、検査オーダーに基づいて、検査オーダーにおいて被検者情報に使用する文字または記号の種類に係る情報を予め取得しておく。
【００６１】
［第３実施形態］
ラベル認識部６３がラベル画像５５から正しく被検者情報を認識できない場合がある。例えば、ラベル３５の一部または全部に汚損がある場合、ラベル３５に被検者１０自身が被検者情報を記入する場合に、その文字等が乱雑である場合等である。このような場合、上記第１実施形態及び／または第２実施形態の管理システム８０は、ラベル認識部６３の認識結果、及び／または、自動対応付部６５の対応付け処理の結果について、特に、認識不良のラベル画像５５を用いて認識した被検者１０の被検者情報について、修正を受け付けることが好ましい。最終的に、検査結果と検査オーダーとを正確に対応付ける必要があるからである。
【００６２】
ラベル認識部６３の認識結果、及び／または、自動対応付部６５の対応付け処理の結果について、修正を受け付ける場合、例えば、ラベル認識部６３は認識結果とともに、その認識結果の確からしさを表す確度を出力する構成とする。そして、表示部６６は、認識処理の確度が閾値以下の部分を含む認識不良のラベル画像５５に係る検査結果と、検査オーダーと、を対応付けた表示部分を強調表示することが好ましい。対応付けデータ９２において確認を促すためである。
【００６３】
例えば、図１６に示すように、Ｓ／Ｎ「０１００１」のラベル画像５５の年齢記入欄３８に汚損３０１があり、ラベル認識部６３が年齢部分３０２に示すように、例えば被検者１０の年齢を「３１」であると誤認識したとする。このように、ラベル画像５５において一部または全部に汚損３０１等がある場合、ラベル認識部６３が出力する確度は、所定の閾値以下となる。このため、図１７に示すように、表示部６６は、確度が閾値以下である認識結果を使用して対応付けが行われた対応付けデータ９２の行、及び／または、確度が閾値以下である認識結果に係る部分３０３を、強調表示する。このように、確度が閾値以下である認識結果を使用して対応付けが行われた行（レコード）、及び／または、部分３０３を強調すれば、確認者は対応付けデータ９２の複数のデータの中から容易に特別に確認を要する行または部分３０３を特定できるので、見落とすことなく修正または承認することができる。図１３に示す態様の対応付けデータ１０１を表示する場合も同様に強調表示をすることができる。
【００６４】
なお、ラベル認識部６３による認識結果に、確度が閾値以下である認識結果が含まれている場合、表示部６６は、自動対応付部６５による自動対応付け処理を行う前に、検査データ７１を表示して、確認者に、認識結果自体の修正を求めることができる。この場合、上記対応付けデータ９２（図１７）と同様に、確認が必要な部分、及び／または、確認が必要な部分を含む行（レコード）を強調表示することが好ましい。確認を求める部分を明示することにより、確認者が、該当部分を見落とすことなく修正または承認するためである。
【００６５】
また、第１実施形態、第２実施形態、及び、上記第３実施形態においては、表示部６６は、対応付けデータ９２等の表示において、ラベル画像５５を表示しているが、表示部６６は、少なくとも認識不良のラベル画像５５を用いて認識した被検者１０について、ラベル画像５５を表示することが好ましい。確認者が、ラベル画像５５と照合して正しく修正をするためである。
【００６６】
なお、確認者が、被検者１０の被検者情報を修正した場合に、自動対応付部６５は、修正後の被検者情報を用いて検査オーダーを自動的に対応付けることが好ましい。修正後の被検者情報を用いて自動的に対応付け処理を行うことにより、正確な対応付け結果を容易に提案できるからである。また、確認者による手動の対応付け作業を省略でき、効率的だからである。
【００６７】
また、少なくとも認識不良のラベル画像５５がある場合に、自動対応付部６５は、検査結果に自動的に対応付けた検査オーダーの他に、対応付け得る検査オーダーの候補を提示してもよい。検査オーダーの候補を提示する場合、確認者は、提示された候補から適切な検査オーダーを選択するだけで、対応付け結果を容易に修正することができるからである。
【００６８】
なお、上記第１実施形態、第２実施形態、第３実施形態、及び各変形例においては、管理システム８０を、検査装置２１のラベル撮影部５２と、管理装置２２の検査オーダー取得部６２、ラベル認識部６３、及び自動対応付部６５等と、によって構成しているが、これら管理システム８０を構成する各部は、任意の装置に組み込むことができる。例えば、管理システム８０を構成する各部を全て検査装置２１に設ければ、検査装置２１自体が管理システム８０として機能する。この場合、タッチパネル４３を表示部６６として用いることができる。また、上記第１実施形態、第２実施形態、第３実施形態、及び各変形例においては、ラベル撮影部５２を検査装置２１に組み込んでいるが、ラベル撮影部５２は管理装置２２に設けることができる。この場合、管理装置２２が管理システム８０を構成する各部をすべて含むので、管理装置２２自体が上記実施形態等における管理システム８０として機能する。また、ラベル撮影部５２は、上記検査装置２１及び管理装置２２以外の部分として設けることができる。例えば、ラベル撮影部５２には、検査装置２１及び管理装置２２から独立して駆動するデジタルカメラ等を利用できる。
【００６９】
なお、上記各実施形態及び変形例において、検査装置２１、管理装置２２、及び／または、管理システム８０（以下、検査装置２１等という）は、以下の機能または動作モード等を有することこが好ましい。下記の機能または動作モードは、キャリブレーションを実施する機会が少ない検査装置２１等（いわゆるキャリブレーションフリーな検査装置２１等）に特に有用である。
【００７０】
＜ＩＤによる管理者及び使用者の識別等＞
検査装置２１等は、使用者をＩＤ等により識別し、使用者のＩＤ等によって使用できる機能または動作モードを制限または解放することができる。例えば、検査装置２１等は、当該検査装置２１等について設定変更等を行い得る管理権限を有する管理者（ＡＤＭ（administrator））と、当該検査装置２１等について使用権限を有するが管理権限を有しない使用者（ＯＰＥ（operator））と、の２種類のＩＤを識別する。検査装置２１等に管理者が複数いる場合、検査装置２１等は、複数人の管理者にそれぞれ管理者ＩＤを付与し、管理者各人を識別する。同様に、検査装置２１等に使用者が複数いる場合、検査装置２１等は、複数人の使用者にそれぞれ使用者ＩＤを発行し、使用者各人を識別する。単にパスワード等を入力によって管理権限を使用可能であると、誰が機器設定等を変更したか、誰が検査の実行等を指示したか、等が不明である。一方、上記のように、このように、管理者及び使用者をＩＤ等で識別し、検査装置２１等の設定または検査の実行した者を特定できる。機器設定を変更した管理者または検査を実行した使用者に対して、必要に応じて容易に連絡や問い合わせをすることができる。
【００７１】
また、管理者のＩＤ及び使用者のＩＤのいずれもが未入力の場合、検査装置２１等は検査その他動作の実行を禁止する。管理者は、検査装置２１等にそのＩＤを入力することにより、検査装置２１等は管理者用の操作画面（ＧＵＩ（graphical user interface））を提供し、または、その他ボタン等の操作部を使用可能とする。例えば、検査装置２１等の機器設定に関わるＧＵＩボタン等と、検査装置２１等に検査の実行指示を入力するＧＵＩボタン等を表示する。これにより、管理者は、検査装置２１等を用いて検査等を実行できる他、さらに、管理者権限によって、検査装置２１等の機器設定、ＩＤごとの権限の設定（特定の使用者に管理権限を付与する等の設定）、及び、特定の動作モードに使用回数の制限を付与する等の動作モードの設定、を行い得る。使用者は、検査装置２１等にそのＩＤを入力することにより、検査装置２１等は使用者用の操作画面を提供し、検査等に必要な範囲内で、その他ボタン等の操作部を使用可能とする。例えば、検査装置２１等の機器設定に関わるＧＵＩボタン等は表示せず、検査装置２１等の機器設定に関わるＧＵＩボタン等を表示する。これにより、使用者は、検査装置２１等を用いて検査等を実行できる。
【００７２】
＜一部の検査結果の不使用または非表示機能＞
検査装置２１で検査に使用する消耗品（試薬等）等には、通常、使用期限がある。このため、検査装置２１は、使用期限を超過した消耗品（以下、期限超過消耗品という）を使用した検査を禁止することができる。また、検査装置２１が期限超過消耗品を使用した検査を禁止しない場合、検査装置２１等は、期限超過消耗品を使用した検査の結果を、不使用にし、または、非表示とすることができる。これにより、不適切な検査結果の使用等を防止することができる。ここでは期限超過消耗品を使用した検査について説明したが、他の要因に基づいて、一部の検査結果を不使用または非表示にすることができる。なお、検査結果を「不使用にする」とは、検査結果取得部６１に入力しないこと、または、自動対応付けに使用しないこと、等、検査結果の使用を避ける（または禁止する）ことをいう。検査結果を「非表示にする」とは、検査結果をタッチパネル４３及び／または表示部６６に表示しないことの他、検査結果を表示すべき部分に「期限切れ」または「ＥＸＰ（expire）」等の表示をして検査結果を隠匿することを含む。
【００７３】
＜緊急モード＞
上記のように、期限超過消耗品を使用した検査の結果を不使用または非表示にする場合、検査装置２１等は、動作モードの１つとして、緊急モード（ＥＭＧ（emergency）モード）を有することが好ましい。緊急モードは、期限超過消耗品を使用した検査の結果等の不使用または非表示する検査結果を、強制的に使用または表示する動作モードである。これは、検査結果が不正確である可能性を考慮しても、その検査結果を使用または表示することに利益があるような緊急事態に備えるものである。上記緊急モードを設ける場合、管理者は、緊急モードを使用できる回数に制限を設定することが好ましい。緊急モードの濫用を防止するためである。緊急モードが使用上限回数に到達した場合、検査装置２１等は、期限超過消耗品を使用した検査の結果等を不使用または非表示する。
【００７４】
＜品質管理（ＱＣ（quality Control））機能＞
検査装置２１は、動作モードの１つとして、品質管理機能を有することが好ましい。品質管理機能は、例えば検査装置２１等の定期点検において、検査の正確度を判定及び表示することにより、検査品質を管理する機能である。例えば、品質管理機能を使用する場合、品質管理用の消耗品等を用いて模擬的な検査を実施し、検査装置２１等は、品質管理機能用に設定した基準（例えばＯＫまたはＮＧの基準）にしたがって、その検査結果に対して、品質を判定及び表示する。なお、検査装置２１等の使用者または管理者は、実際の検体についての検査結果に対して、上記品質管理用の基準とは別にＯＫまたはＮＧの判断基準を設定することにより、検査結果がＯＫまたはＮＧのいずれに属するかを視覚的に強調して表示することもできる。
【００７５】
＜消耗品等の使用不可設定＞
検査装置２１等は、検査に用いる消耗品等について、使用不可とする消耗品を設定できるようにしておくことが好ましい。例えば、期限超過消耗品等の製造ロットナンバーまたはシリアルナンバー等を登録し、かつ、使用不可の設定をしておくことで、誤って（例えば期限超過消耗品をセットしていることに気づかずに）期限超過消耗品等を使用した検査を実行することを防止できる。また、検査に使用する消耗品に製造不良が発見された場合、上記のように、登録及び使用不可の設定をすれば、人為的に該当する消耗品を探索等するまでもなく、検査装置２１等が該当する消耗品を使用した検査の実行を自動的に排除することができる。ここでは、検査に用いる消耗品（試薬等）を例にしたが、検体容器１３についても同様に、必要に応じて、使用不可の登録及び設定できることが好ましい。
【００７６】
なお、上記各実施形態及び変形例においては、便を用いて便潜血検査を実施する検査装置２１を用いているが、検査装置２１としては、便を用いて便潜血以外の検査を実施する検査装置、血液を用いて検査をする血液検査装置、その他の組織（粘膜の細胞等）もしくは粘液等を用いて検査をする装置等を、任意に用いることができる。このため、管理システム８０は、種々の検査装置または検査装置の組み合わせに対して有効である。
【００７７】
上記各実施形態及び変形例において、ラベル認識部６３及び自動対応付部６５等といった各種の処理を実行する処理部（processing unit)のハードウェア的な構造は、次に示すような各種のプロセッサ（processor）である。各種のプロセッサには、ソフトウェア（プログラム）を実行して各種の処理部として機能する汎用的なプロセッサであるＣＰＵ（Central Processing Unit)、ＧＰＵ（Graphical Processing Unit）、ＦＰＧＡ (Field Programmable Gate Array) などの製造後に回路構成を変更可能なプロセッサであるプログラマブルロジックデバイス（Programmable Logic Device:ＰＬＤ）、各種の処理を実行するために専用に設計された回路構成を有するプロセッサである専用電気回路などが含まれる。
【００７８】
１つの処理部は、これら各種のプロセッサのうちの１つで構成されてもよいし、同種または異種の２つ以上のプロセッサの組み合せ（例えば、複数のＦＰＧＡ、ＣＰＵとＦＰＧＡの組み合わせ、またはＣＰＵとＧＰＵの組み合わせ等）で構成されてもよい。また、複数の処理部を１つのプロセッサで構成してもよい。複数の処理部を１つのプロセッサで構成する例としては、第１に、クライアントやサーバなどのコンピュータに代表されるように、１つ以上のＣＰＵとソフトウェアの組み合わせで１つのプロセッサを構成し、このプロセッサが複数の処理部として機能する形態がある。第２に、システムオンチップ（System On Chip:ＳｏＣ）などに代表されるように、複数の処理部を含むシステム全体の機能を１つのＩＣ（Integrated Circuit）チップで実現するプロセッサを使用する形態がある。このように、各種の処理部は、ハードウェア的な構造として、上記各種のプロセッサを１つ以上用いて構成される。
【００７９】
さらに、これらの各種のプロセッサのハードウェア的な構造は、より具体的には、半導体素子などの回路素子を組み合わせた形態の電気回路（circuitry）である。
【符号の説明】
【００８０】
１０  被検者
１１  病院
１２  検査機関
１３  検体容器
１６  病院情報システム
２１  検査装置
２２  管理装置
３１  容器本体
３２  キャップ
３５  ラベル
３６  氏名記入欄
３７  性別選択欄
３８  年齢記入欄
３９  採便日時記入欄
４１  検体容器載置部
４２  検査部
４３  タッチパネル
４６  ラック
５１  ＩＤ読取部
５２  ラベル撮影部
５３  便潜血検査機構
５５  ラベル画像
６１  検査結果取得部
６２  検査オーダー取得部
６３  ラベル認識部
６５  自動対応付部
６６  表示部
６７  操作部
７１  検査データ
７２  オーダー一覧
８０  管理システム
９１  認識結果欄
９２  対応付けデータ
９３  オーダーデータ欄
１０１  対応付けデータ
１１１  画像
２０１  変換部
３０１  汚損
３０２  年齢部分
３０３  部分
Ｓ１０１〜Ｓ１２７  動作ステップ
【図１】
2020162310.tif 000003
【図２】
2020162310.tif 000004
【図３】
2020162310.tif 000005
【図４】
2020162310.tif 000006
【図５】
2020162310.tif 000007
【図６】
2020162310.tif 000008
【図７】
2020162310.tif 000009
【図８】
2020162310.tif 000010
【図９】
2020162310.tif 000011
【図１０】
2020162310.tif 000012
【図１１】
2020162310.tif 000013
【図１２】
2020162310.tif 000014
【図１３】
2020162310.tif 000015
【図１４】
2020162310.tif 000016
【図１５】
2020162310.tif 000017
【図１６】
2020162310.tif 000018
【図１７】
2020162310.tif 000019
【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
検体を収容し、かつ、前記検体を採取した被検者の被検者情報を記載したラベルを貼付した複数の検体容器について前記ラベルを撮影するラベル撮影部と、
前記ラベルを撮影したラベル画像を用いて、各々の前記検体容器が収容する前記検体を採取した前記被検者を認識するラベル認識部と、
前記被検者の前記被検者情報を含む検査オーダーを取得する検査オーダー取得部と、
前記ラベル認識部の認識結果を用いて、各々の前記検体容器の検体に係る検査結果と、前記検査オーダー取得部が取得した前記検査オーダーと、を自動的に対応付ける自動対応付部と、
前記自動対応付部の対応付けにしたがって、前記検査結果と、前記検査オーダーと、を対応付けて表示する表示部と、
を備える管理システム。
【請求項２】
前記ラベル認識部は、前記ラベル画像を用いて、前記ラベルの色を認識し、かつ、
前記自動対応付部は、色違いの前記ラベル画像を有する２つの前記検体容器に同じ前記検査オーダーを対応付ける請求項１に記載の管理システム。
【請求項３】
前記ラベル撮影部は、複数の前記検体容器の前記ラベルをまとめて撮影し、得られた画像から各前記検体容器の前記ラベルの部分を前記ラベル画像として抽出する請求項１または２に記載の管理システム。
【請求項４】
前記ラベルの記載は、前記被検者の被検者名、性別、及び／または、年齢を含み、
前記ラベル認識部は、前記ラベルに記載した被検者名、性別、及び／または、年齢を認識する請求項１〜３のいずれか１項に記載の管理システム。
【請求項５】
前記ラベル認識部が認識した文字または記号を他の文字または記号に変換する変換部を備え、
前記自動対応付部は、前記変換部が前記ラベル認識部の認識結果を変換した文字または記号を用いて、各々の前記検査結果と、前記検査オーダーと、を対応付ける請求項１〜３のいずれか１項に記載の管理システム。
【請求項６】
前記変換部は、前記ラベル認識部が認識した文字を、前記検査オーダーが被検者名に使用する文字種に変換する請求項５に記載の管理システム。
【請求項７】
前記ラベル認識部は、前記被検者が手書きした前記ラベルの前記ラベル画像を用いて、前記被検者を認識する請求項１〜６のいずれか１項に記載の管理システム。
【請求項８】
前記表示部は、認識処理の確度が閾値以下である認識不良の前記ラベル画像に係る前記検査結果と、前記検査オーダーと、を対応付けた表示部分を強調する請求項１〜７のいずれか１項に記載の管理システム。
【請求項９】
前記表示部は、少なくとも認識不良の前記ラベル画像を用いて認識した前記被検者について、前記ラベル画像を表示する請求項８に記載の管理システム。
【請求項１０】
認識不良の前記ラベル画像を用いて認識した前記被検者の被検者情報について、修正を受け付ける請求項８または９に記載の管理システム。
【請求項１１】
前記被検者の被検者情報を修正した場合に、前記自動対応付部は、修正後の被検者情報を用いて前記検査オーダーを自動的に対応付ける請求項１０に記載の管理システム。
【請求項１２】
少なくとも認識不良の前記ラベル画像がある場合に、前記自動対応付部は、前記検査結果に自動的に対応付けた前記検査オーダーの他に、対応付け得る前記検査オーダーの候補を提示する請求項８〜１１のいずれか１項に記載の管理システム。
【請求項１３】
前記表示部は、前記自動対応付部が対応付けした、前記検査結果と、前記検査オーダーと、を統合して表示する請求項１〜１２のいずれか１項に記載の管理システム。
【国際調査報告】
2020162310.tif 000020
2020162310.tif 000021
2020162310.tif 000022
2020162310.tif 000023